(57)【要約】【課題】軽量で安価な面光源を提供する。【解決手段】光源２と、間隔保持部６を介して互いに略平行に配置された表面板部４及び裏面板部５を有し透明又は半透明材料からなる導光体３と、からなる面光源１であって、光源２は導光体３の端縁で、且つ表面板部４と裏面板部５の間に配されていることを特徴とする面光源１である。【選択図】図１
2009110794.tif 000002
【特許請求の範囲】
【請求項１】
光源と、間隔保持部を介して互いに略平行に配置された表面板部及び裏面板部を有し透明又は半透明材料からなる導光体と、からなる面光源であって、光源は導光体の端縁で、且つ表面板部と裏面板部の間に配されていることを特徴とする面光源。
【請求項２】
間隔保持部の表面板部側に拡散部が設けられるとともに、裏面板部に白色層が設けられることを特徴とする請求項１に記載の面光源。
【請求項３】
拡散部は白色拡散粒子を含む樹脂を表面板部の外面側に塗布してなることを特徴とする請求項２に記載の面光源。
【請求項４】
白色層は裏面板部の外面側に配置された白色反射シートであることを特徴とする請求項２に記載の面光源。
【請求項５】
白色反射シートは裏面板部に接着されることを特徴とする請求項４に記載の面光源。
【請求項６】
白色反射シートの接着は部分的であり、接着される部分の面積は光源から遠いほど広いことを特徴とする請求項５に記載の面光源。
【請求項７】
間隔保持部は表面板部及び裏面板部の間で一方向に延設されたリブであり、このリブが等間隔で並設されて、左右のリブ、表面板部、裏面板部に囲まれた導光路が形成されており、光源は各導光路の一端又は両端に配されていることを特徴とする請求項１乃至請求項６のいずれかに記載の面光源。
【請求項８】
導光体を構成する材料が、膜厚１００μｍにおける５５０ｎｍの光線透過率が８８％以上の透明プラスチックであることを特徴とする請求項１乃至請求項７のいずれかに記載の面光源。
【請求項９】
光源が点光源であることを特徴とする請求項１乃至請求項８のいずれかに記載の面光源。
【請求項１０】
点光源が砲弾型のＬＥＤであることを特徴とする請求項９に記載の面光源。
【請求項１１】
間隔保持部を介して互いに略平行に配置された表面板部及び裏面板部を有し透明又は半透明材料からなる導光体であって、間隔保持部の表面板部側には拡散部が設けられているとともに裏面板部に白色層が設けられていることを特徴とする導光体。
【請求項１２】
拡散部は白色拡散粒子を含む樹脂を表面板部の外面側に塗布してなることを特徴とする請求項１１に記載の導光体。
【請求項１３】
白色層は裏面板部の外面側に配置された白色反射シートであることを特徴とする請求項１１に記載の導光体。
【請求項１４】
白色反射シートは裏面板部に接着されることを特徴とする請求項１３に記載の導光体。
【請求項１５】
白色反射シートの接着は部分的であり、接着される部分の面積は光源が配置される位置から遠いほど広いことを特徴とする請求項１４に記載の導光体。
【請求項１６】
間隔保持部は表面板部及び裏面板部の間で一方向に延設されたリブであり、このリブが等間隔で並設されて、左右のリブ、表面板部、裏面板部に囲まれた導光路が形成されていることを特徴とする請求項１１乃至請求項１５のいずれかに記載の導光体。
【請求項１７】
材料が、膜厚１００μｍにおける５５０ｎｍの光線透過率が８８％以上の透明プラスチックであることを特徴とする請求項１１乃至請求項１６のいずれかに記載の導光体。
【発明の詳細な説明】
【技術分野】
【０００１】
本発明は、液晶表示装置用バックライト等として使用する面光源に係り、更に詳しくは、軽量で且つ安価に製造できる面光源に関する。
【背景技術】
【０００２】
近年、液晶表示装置が多方面に用いられるようになって、それぞれの用途に応じて多様な性能が求められている。ＯＡ機器、パーソナルコンピューター、ワードプロセッサー等では、軽量化、薄型化、大画面化、高精彩化、省電力化の要求が強くなっている。
【０００３】
これらの要求のうち、軽量化と大画面化は互いに相反する要求であり、これに応えるのは極めて困難である。特に、一般的な導光板は、例えば特許文献１にも記載されている通り、入光面側が厚く反対側の端面が薄い断面ほぼ楔形をしていることが多いが、画面が大型化するほど入光面側を厚くする必要があり、等比級数的に重くなる傾向がある。
【特許文献１】特開平９−１８４９２７号公報
【発明の開示】
【発明が解決しようとする課題】
【０００４】
本発明はかかる実情に鑑み、従来技術の問題点を解消し、大型の液晶表示装置のバックライト等として用いる大型の面光源であっても、軽量で、しかも安価な面光源を提供することを目的とする。
【課題を解決するための手段】
【０００５】
本発明は上記目的を達成するためになされたもので、本発明の請求項１は、光源と、間隔保持部を介して互いに略平行に配置された表面板部及び裏面板部を有し透明又は半透明材料からなる導光体と、からなる面光源であって、光源は導光体の端縁で、且つ表面板部と裏面板部の間に配されていることを特徴とする面光源を内容とする。
【０００６】
本発明の請求項２は、間隔保持部の表面板部側に拡散部が設けられるとともに、裏面板部に白色層が設けられることを特徴とする請求項１に記載の面光源を内容とする。
【０００７】
本発明の請求項３は、拡散部は白色拡散粒子を含む樹脂を表面板部の外面側に塗布してなることを特徴とする請求項２に記載の面光源を内容とする。
【０００８】
本発明の請求項４は、白色層は裏面板部の外面側に配置された白色反射シートであることを特徴とする請求項２に記載の面光源を内容とする。
【０００９】
本発明の請求項５は、白色反射シートは裏面板部に接着されることを特徴とする請求項４に記載の面光源を内容とする。
【００１０】
本発明の請求項６は、白色反射シートの接着は部分的であり、接着される部分の面積は光源から遠いほど広いことを特徴とする請求項５に記載の面光源を内容とする。
【００１１】
本発明の請求項７は、間隔保持部は表面板部及び裏面板部の間で一方向に延設されたリブであり、このリブが等間隔で並設されて、左右のリブ、表面板部、裏面板部に囲まれた導光路が形成されており、光源は各導光路の一端又は両端に配されていることを特徴とする請求項１乃至請求項６のいずれかに記載の面光源を内容とする。
【００１２】
本発明の請求項８は、導光体を構成する材料が、膜厚１００μｍにおける５５０ｎｍの光線透過率が８８％以上の透明プラスチックであることを特徴とする請求項１乃至請求項７のいずれかに記載の面光源を内容とする。
【００１３】
本発明の請求項９は、光源が点光源であることを特徴とする請求項１乃至請求項８のいずれかに記載の面光源を内容とする。
【００１４】
本発明の請求項１０は、点光源が砲弾型のＬＥＤであることを特徴とする請求項９に記載の面光源を内容とする。
【００１５】
本発明の請求項１１は、間隔保持部を介して互いに略平行に配置された表面板部及び裏面板部を有し透明又は半透明材料からなる導光体であって、間隔保持部の表面板部側には拡散部が設けられているとともに裏面板部に白色層が設けられていることを特徴とする導光体を内容とする。
【００１６】
本発明の請求項１２は、拡散部は白色拡散粒子を含む樹脂を表面板部の外面側に塗布してなることを特徴とする請求項１１に記載の導光体を内容とする。
【００１７】
本発明の請求項１３は、白色層は裏面板部の外面側に配置された白色反射シートであることを特徴とする請求項１１に記載の導光体を内容とする。
【００１８】
本発明の請求項１４は、白色反射シートは裏面板部に接着されることを特徴とする請求項１３に記載の導光体を内容とする。
【００１９】
本発明の請求項１５は、白色反射シートの接着は部分的であり、接着される部分の面積は光源が配置される位置から遠いほど広いことを特徴とする請求項１４に記載の導光体を内容とする。
【００２０】
本発明の請求項１６は、間隔保持部は表面板部及び裏面板部の間で一方向に延設されたリブであり、このリブが等間隔で並設されて、左右のリブ、表面板部、裏面板部に囲まれた導光路が形成されていることを特徴とする請求項１１乃至請求項１５のいずれかに記載の導光体を内容とする。
【００２１】
本発明の請求項１７は、材料が、膜厚１００μｍにおける５５０ｎｍの光線透過率が８８％以上の透明プラスチックであることを特徴とする請求項１１乃至請求項１６のいずれかに記載の導光体を内容とする。
【発明の効果】
【００２２】
本発明の面光源によれば、表面板部及び裏面板部が間隔保持部を介して略平行に配置され、その間に光源を配置するので、光源から出射された光は表面板部及び裏面板部の表面で反射しながら、光源が設けられた端縁から反対側の端縁側に導入される。
また、本発明の面光源は実質的に中空で非常に軽量なので、この面光源を使用した表示装置の製造や取り付けが容易であり、また大幅な軽量化が図られる。
【００２３】
間隔保持部の表面板部側に拡散部を設けるとともに、裏面板に白色層を設けると、間隔保持部が拡散部に隠れて目立たなくなり、全体として画面の明るさが均一になる。
拡散部としては、白色拡散粒子を含む樹脂を表面板部の外面側に塗布する方法で設けたものが好ましく、白色層としては白色反射シートが好ましい。
【００２４】
白色反射シートは裏面板部に接着することとにより設けることができるが、この接着を部分的にし、その接着される部分の面積を点光源から遠いほど広くすれば、その接着部分で光が正反射しにくくなり、乱反射するので、光源から遠く光が届きにくい部分で、より多くの乱反射が起こり、表面板部側から乱射光が出射されるので、全体として明るさが均一な面光源となる。
【００２５】
間隔保持部を表面板部及び裏面板部の間で一方向に延設されたリブとし、このリブを等間隔で並設して、左右のリブ、表面板部、裏面板部に囲まれた導光路を形成し、光源を各導光路の一端又は両端に配すると、構造的に強固になるばかりでなく、リブの影になって光が届かない、又は他の部分より暗くなるような部分が生じないので、画面の明るさが均一になる。
【００２６】
導光体を構成する材料としては、膜厚１００μｍにおける５５０ｎｍの光線透過率が８８％以上の透明プラスチックが適当であり、この程度であると出射される光が多く、明るい面光源になる。
【００２７】
光源として点光源を使用すると、導光体の縁端に間隔保持部を設けた場合でも、容易に表面板部と裏面板部の間に光源を配置することができるため、強度が高い導光体を得ることができる。
また、点光源として指向性が高い砲弾型ＬＥＤを使用すると、反対側の端縁に光が届きやすくなるので、画面全体の光度の均一性が向上する。
【発明を実施するための最良の形態】
【００２８】
本発明における面光源１を、図１乃至図３に基づいて説明すれば、光源２と、間隔保持部６を介して互いに略平行に配置された表面板部４及び裏面板部５を有し透明又は半透明材料からなる導光体３と、からなる面光源１であって、光源２は導光体３の端縁で、且つ表面板部４と裏面板部５の間に配されていることを特徴とする。
【００２９】
本発明の面光源１で使用する光源２としては特に限定されず、冷陰極管等の線光源、白熱電球、ＬＥＤ（発光ダイオード）等の点光源が例示できるが、低電圧，低電流で駆動でき，高輝度で応答性に優れている点でＬＥＤが好ましい。また、ＬＥＤでも光の指向性に優れた砲弾型のものであると、この砲弾型ＬＥＤが配置された端面と反対側の端縁に光が届きやすくなり、画面全体の光度の均一性が向上するため、特に好ましい。
【００３０】
本発明で使用する導光体３としては、表面光沢を有する表面板部４と裏面板部５が互いに略平行に配置されたものであれば特に限定されないが、市販のプラスチック製ダンボールを用いると極めて簡単に導光体３を得ることができる。
なお、本発明において略平行とは、表面板部４及び裏面板部５が直接接触しないというほどの意味であり、厳密に平行である必要はない。例えば、図４に示したように、光源２が配置されていない側の端面が狭くなっているようなものでも良い。
【００３１】
この導光体３を構成する材料としては、適度の光透過性を有する限り特に限定されないが、ポリカーボネート、ポリエステル、ポリアリレート、環状ポリオレフィン、ポリアクリル、ポリプロピレン、ポリエチレンなどの透明又は半透明樹脂が好適に利用できる。
特に、この材料が膜厚１００μｍにおける５５０ｎｍの光線透過率が８８％以上の透明プラスチックであれば、光源２から出射された光は、導光体３を通過するときにあまり減衰しないため、光度が高い面光源１が得られる。
【００３２】
導光体３の表面板部４及び裏面板部５の形状としては、表面光沢を有する平板状であれば特に限定されず、本発明の面光源を組み込む液晶表示装置の画面等の大きさ、形状に合わせて様々な形状にすることができる。
表面板部４、裏面板部５の厚さも本発明の目的を達成できる限り特に限定されないが、１０〜５００μｍであれば自らの重さにより崩壊することもなく、また、出射される光が導光体３を通過する際に必要以上に減衰しないため、好適に用いることができる。
【００３３】
本発明においては、この導光体３の端縁で、且つ表面板部４及び裏面板部５の間に光源２に配置される。この光源２から出射される光は、表面板部４及び裏面板部５の表面で反射しながら、光源２が設けられた端面から反対側の端縁に向かって進む。
【００３４】
上記の表面板部４及び裏面板部５は間隔保持部６を介して設けられる。
間隔保持部６の形状は特に限定されないが、その形状を表面板部４及び裏面板部５の間で一方向に延設されたリブとし、このリブ６を等間隔で並設すれば、成形も簡単であり、導光体３の強度を高めることもできるため好ましい。リブ６の数は特に限定されず、所望の強度等を勘案して適宜決定すればよい。
材質も特に限定されないが、表面板部４及び裏面板部５と同じであれば、成形も簡単である。但し、リブ６の材質、構造によっては、光源２から発せられた光がリブ６により減衰され、面光源１から出射される光が全体的に暗くなる場合があるので、図５に示したようにリブ６の数を光源２の数よりも少ない構造にしてもよい。
【００３５】
なお、間隔保持部６を表面板部４及び裏面板部５の間で一方向に延設されたリブとし、このリブ６を等間隔に並設すると、左右のリブ６、表面板部４、裏面板部５に囲まれた導光路７が形成される。この場合、それぞれの導光路７に光源２を設ける方が好ましい。このようにすると、リブ６の影になって暗くなるような部分が生じないため、全体的に明るさが均一な面光源が得られる。
なお、光源２として点光源を使用する場合は導光路７の一端側だけに設けても良いし、隣接する導光路７で互い違いに光源２を設けても良く、図６に示したように導光路７の両端側に設けても良い。
【００３６】
光源２を導光路７の一端側だけに設ける場合は、反対側に鏡面反射板８を設けて導光路７の両端側から光を照射できるようにするほうが好ましい。鏡面反射板８としては平面鏡を設けることもできるが、一度導光路７を通過して光路が略平行になった光を表面板から均一に出射するため、凹面鏡や凸面鏡を使用することもできる。また平面鏡を使用する場合でも、この鏡面反射板８を上方又は下方に傾けると、反射光を導光体３全体に均一に照射することができる。
【００３７】
本発明において、リブのような間隔保持部６を導光体３の全面に設けると、表面板部４側から間隔保持部６が見えてしまうことがあり、導光体３から出射される光が不均一になる場合がある。この問題は、間隔保持部６の表面板部４側に拡散部４ａを設けるとともに、裏面板部５に白色層５ａを設けて、間隔保持部６を隠すことにより解消される。
【００３８】
本発明で使用する拡散部４ａは、間隔保持部６から表面板部４に直接抜ける光を拡散する機能を有する部分であり、図７に示したように表面板部４の表面に盛り上げる様に設けることもできるし、図８に示したように表面板部４の一部を掘削してその部分を埋めるように設けることもできる。
この拡散部４ａとしては、表面板部４の外面側に白色拡散粒子を含む樹脂を塗布し固着したものや、拡散シートを細いテープ状に裁断して貼り付けたもの、または当該部分を粗いサンドペーパーなどで研磨して粗面化したものを例示できるが、白色拡散粒子を含む樹脂を塗布し固着する方法が、拡散効率が高く、簡単に設けることができるという点で好ましい。
【００３９】
本発明で使用する白色層５ａとしては、裏面板部５の外面側及び／又は内面側に白色拡散粒子を含む樹脂を塗布したものや、市販の白色反射シートを設けたものが例示できる。但し、白色拡散粒子を含む樹脂は上記の拡散部４ａを目立ちにくくする点では優れているが、光源２に近い部分で強い乱反射が起こりやすく画面全体の均一性を保つ上でやや難点があるため、配置するのが容易で画面全体の明るさを均一化しやすい白色反射シートがより好ましい。
【００４０】
白色反射シート５ａは、単に導光体３の裏面板部５の外面に押し付けてクリップなどで止めても良く、また白色反射シート５ａの全面に接着剤を塗布して裏面板部の外面側に貼り付けても良い。
さらに、接着される部分の面積が光源２から遠いほど広くなるように部分的に接着してもよく、即ち、接着剤を一面に均等に塗布するのではなく、光源２から近い個所は小さい点状や細い線状に接着剤を塗布したり、点状や線状に塗布された接着剤の密度を小さくするとともに、点光源から遠い部分は大きな点状や太い線状に接着剤を塗布したり、点状や線状に塗布された接着剤の密度を大きくすることができる。
この場合は接着した部分で光源から出射された光が正反射されにくくなり、その部分で乱反射されやすくなる。一方、光源２から出射されて裏面板部５に照射される光は光源２から遠ざかるにつれて弱くなるので、結局、乱反射する光の量は導光体３の全体で均一になり、従って、面光源１の光度も全面で均一になる。
なお、裏面板部５の内面側又は外面側に微小凹凸を設け、微小凹凸の密度を光源から遠ざかるほど高く、或いは微小凹凸の幅又は直径を光源から遠ざかるほど大きくしても同様の効果が得られる。
【００４１】
本発明において、間隔保持部６又はその上に設けた拡散部４ａを更に目立ちにくくするため、表面板部４の外面側に拡散板９を配置してもよい。本発明で使用する拡散板９としては、従来の面光源に載置される通常の拡散板（例えば、帝人化成株式会社製、商品名：パンライトＰＣ−９３９１）が全て好適に使用できる。
【００４２】
この拡散板９は、面光源１の上に直接載置してもよいが、図９に示したように、表面板部４の外面と拡散板９の間に透明層９ａを設けるのが好ましい。透明層９ａを設けると、光が導光体３から拡散板９に進む間に自然に放射されて交じり合うため、この光を拡散板９で拡散すると間隔保持部６又はその上に設けた拡散部４ａが殆ど見えなくなる。
透明層９ａの厚さは０．２〜１０ｍｍが好ましく、１〜５ｍｍが更に好ましく、２〜４ｍｍが特に好ましい。透明層９ａの厚さが０．２ｍｍ未満であると間隔保持部６又はその上に設けた拡散部４ａが透けて見えやすくなる傾向があり、１０ｍｍを超えると端部が暗くなりやすい上に面光源１自体が厚くなりやすい傾向がある。
【００４３】
透明層９ａとしては、透明性が高い樹脂やガラスなどの板を載置してもよいが、拡散板９を表面板部４から所定間隔離して配置する、即ち、空気からなる透明層９ａを拡散板９と表面板部４の間に設けるのが、透明性、軽量性の点で好ましい。
【実施例】
【００４４】
以下、本発明を実施例を挙げて更に詳細に説明するが、本発明はこれら実施例のみに限定されるものではない。
【００４５】
実施例１
導光体３としてはポリカーボネート製プラスチックダンボール（ハリマ梱包株式会社販売、商品名：ポリカーボネートクリア、リブ間隔６．５ｍｍ、厚み６ｍｍ、表面板部４、裏面板部５、リブ６の厚さはそれぞれ約０．４ｍｍ）を１０４ｍｍ×１０４ｍｍの正方形に裁断して使用した。
この導光体３の表面板部４の表面で、且つリブ６の直上に深さ３０μｍの溝を掘削し、この溝に白色顔料含有アクリル樹脂（十条ケミカル株式会社製、商品名：レイキュア−ＳＬ）を塗布して固着し、厚み３０μｍの拡散部４ａを形成した。
導光体３の裏面板部５の外側には白色反射シート（東レ株式会社製、商品名：ルミラーＥＬ−６０Ｌ）を接着剤を用いずに配置して白色層５ａとした。
上記の導光体３に形成された導光路７の一端には、光源２として白色ＬＥＤ（日亜化学工業株式会社製、商品名：ＮＳＰＷ５００ＣＳ、５ｍｍ砲弾型、１８００ｍｃｄ、３．６Ｖ、２０ｍＡ）をそれぞれ１個づつ、計１５個配置した。
導光路７の他端側には鏡面反射板８としてガラス銀鏡（厚み：２ｍｍ）を配置した。なお、鏡面反射板８の法線方向は、導光路７の長さ方向及び上記ＬＥＤ２の光軸方向と平行である。
【００４６】
実施例２
白色層５ａとして、裏面板部５の外側に白色顔料含有アクリル樹脂（十条ケミカル株式会社製、商品名：レイキュア−ＳＬ）を厚み５０μｍに塗布、固着させたものを採用した他は実施例１と同様にして面光源１を作製した。
【００４７】
実施例３
白色層５ａとして、裏面板部５の内側及び外側に白色顔料含有アクリル樹脂（十条ケミカル株式会社製、商品名：レイキュア−ＳＬ）を厚み５０μｍに塗布、固着させたものを採用した他は実施例１と同様にして面光源１を作製した。
【００４８】
実施例４
白色層５ａとして、裏面板部５の外側に白色反射シート（東レ株式会社製、商品名：ルミラーＥＬ−６０Ｌ）を、接着剤を全面に塗布して貼着したものを採用した他は実施例１と同様にして面光源１を作製した。
【００４９】
実施例５
白色層５ａとして、裏面板部５の外側に白色反射シート（東レ株式会社製、商品名：ルミラーＥＬ−６０Ｌ）を、接着剤を幅１００μｍで所定の間隔をあけた、リブと垂直方向のストライプ状に塗布して貼着したものを採用した他は実施例１と同様にして面光源を作製した。
但し、ストライプ状の接着剤の間隙の幅Ｇと、ＬＥＤが配置される端縁から該間隙までの距離Ｌｇは、以下の式に表わす関係にある。（Ｌａは導光体の幅全体の長さを表わし、具体的には１０４ｍｍである。）
Ｇ＝（Ｌａ−Ｌｇ）×０．００７５±０．０１５
なお、式中の±０．０１５は本実施例に設けた該間隙の幅の誤差が１５μｍ以下であったことを示す。
【００５０】
実施例６
ストライプ状の接着剤を１ｍｍ周期に設け、該ストライプの幅を所定の値とした他は請求項５と同様にして面光源１を作製した。
但しストライプ状の接着剤の幅Ｗと、ＬＥＤが配置される端縁から該ストライプまでの距離Ｌｓは、以下の式に表わす関係にある。
Ｗ＝Ｌｓ×０．００７５±０．０１５
なお、式中の±０．０１５は本実施例で設けた該ストライプの幅の誤差が１５μｍ以下であったことを示す。
【００５１】
実施例７
拡散部４ａ及び白色層５ａを設けなかった他は実施例１と同様にして面光源１を作製した。
【００５２】
実施例８
拡散部４ａを設けなかった他は実施例１と同様にして面光源１を作製した。
【００５３】
実施例９
白色層５ａを設けなかった他は実施例１と同様にして面光源１を作製した。
【００５４】
実施例１０〜１８
表面板部４の上に２ｍｍの間隔（透明層９ａ）を空けて拡散板９（帝人化成社製、商品名：パンライトシートＰＣ−９３９１）を載置した他は実施例１〜９と同様にして面光源１を作製した。
【００５５】
上記の実施例について、全体の明るさ、画面全体の明るさの均一性、間隔保持部の視認性を目視で判断した。
全体の明るさについては、Ａ：極めて明るい、Ｂ：明るい、Ｃ：比較的明るい、Ｄ：比較的暗いが使用可、Ｅ：暗すぎて使用不可、の５段階で評価した。
画面全体の明るさの均一性は、Ａ：肉眼で判断でないほど均一、Ｂ：目を凝らせば不均一な部分が見える、Ｃ：画面を見る上で支障にならない程度のムラがある、Ｄ：ムラが目立つが画面は確認できる、Ｅ：画面を確認できないほどムラがある、の５段階で評価した。
間隔保持部の視認性については、Ａ：視認できない、Ｂ：目を凝らせば視認できる、Ｃ：画面を見る上で支障にならない程度に視認できる、Ｄ：間隔保持部が目立つ、の４段階で評価した。
結果は表１に示す。
【００５６】
【表１】
2009110794.tif 000003
【産業上の利用可能性】
【００５７】
叙上のとおり、本発明に係る面光源は、光源と、間隔保持部を介して互いに略平行に配置された表面板部及び裏面板部を有し透明又は半透明材料からなる導光体と、からなる面光源であって、表面板部と裏面板部の間に配置された点光源から出射された光が、表面板部及び裏面板部の表面により反射して、導光体の奥のほうに導入されるようになっているため、中空で非常に軽く、しかも大型化しても中実の導光板のように等比級数的に重くなるようなこともないため、大型の液晶表示装置のバックライト等として好適に用いることができる面光源として頗る有用である。
【図面の簡単な説明】
【００５８】
【図１】本発明の面光源に係る概略平面図である。
【図２】図１の面光源の概略正面図である。
【図３】図１の面光源の概略左側面図である。
【図４】本発明の別の面光源を示す概略正面図である。
【図５】本発明の更に別の面光源を示す概略平面図である。
【図６】本発明の更に別の面光源を示す概略平面図である。
【図７】本発明の更に別の面光源を示す概略左側面図である。
【図８】本発明の更に別の面光源を示す概略左側面図である。
【図９】本発明の更に別の面光源を示す概略左側面図である。
【符号の説明】
【００５９】
１  面光源
２  光源（ＬＥＤ）
３  導光体
４  表面板部
４ａ  拡散部
５  裏面板部
５ａ  白色層（白色反射シート）
６  間隔保持部（リブ）
７  導光路
８  鏡面反射板
９  拡散板
９ａ  透明層
【図１】
2009110794.tif 000004
【図２】
2009110794.tif 000005
【図３】
2009110794.tif 000006
【図４】
2009110794.tif 000007
【図５】
2009110794.tif 000008
【図６】
2009110794.tif 000009
【図７】
2009110794.tif 000010
【図８】
2009110794.tif 000011
【図９】
2009110794.tif 000012